(57)【要約】【課題】記録媒体の交換に必要となる時間の目安をユーザに提示できるようにする。【解決手段】装着された記録媒体に対して情報信号の記録再生を行う記録再生手段と、前記記録媒体の排出指示に応じて前記記録媒体を排出した後、新たに装着された記録媒体が記録可能な状態となるまでに要する交換所要時間を予測する予測手段と、前記予測手段により予測された交換所要時間に係る情報を表示装置に表示する表示手段とを設け、ユーザは撮影している記録媒体を交換するタイミングを計ることができるようにして、最も撮影したいシーンを撮る際に、記録媒体の交換作業が間に合わない状況が発生するのを防止できるようにする。【選択図】図１
2007280469.tif 000002
【特許請求の範囲】
【請求項１】
装着された記録媒体に対して情報信号の記録再生を行う記録再生手段と、
前記記録媒体の排出指示に応じて前記記録媒体を排出した後、新たに装着された記録媒体が記録可能な状態となるまでに要する交換所要時間を予測する予測手段と、
前記予測手段により予測された交換所要時間に係る情報を表示装置に表示する表示手段とを備えることを特徴とする記録再生装置。
【請求項２】
前記情報信号を前記記録媒体に対して記録再生するための管理情報を生成する管理情報生成手段を備え、
前記予測手段は、前記記録媒体の排出指示に伴って前記記録媒体の交換所要時間を予測する際に、前記管理情報生成手段により生成された管理情報を前記記録再生手段が前記記録媒体に対して記録するのに要する時間を含めることを特徴とする請求項１に記載の記録再生装置。
【請求項３】
前記装着された記録媒体の種類を認識する記録媒体認識手段を有するとともに、前記記録再生手段は複数種類の記録媒体に対して前記情報信号を記録再生することが可能に構成されていて、
前記予測手段は、前記記録媒体が新たに装着された際に、前記記録媒体認識手段が記録媒体の種類を認識するために要する時間を前記交換所要時間に含めることを特徴とする請求項１または２に記載の記録再生装置。
【請求項４】
前記予測手段は、前記記録媒体の種類毎に前記交換所要時間を予測し、前記表示手段は前記記録媒体の種類毎に予測された交換所要時間を表示装置に表示することを特徴とする請求項３に記載の記録再生装置。
【請求項５】
前記記録媒体が装着された際に、初期化処理の要否を判断する初期化処理判断手段と、前記記録媒体の初期化処理を行う初期化処理手段とを有し、
前記初期化処理判断手段により、装着された記録媒体の初期化処理を行うことが必要であると判断された場合には、前記予測手段は、前記初期化処理手段により行なわれる前記記録媒体の初期化処理を行うために必要な時間を前記交換所要時間に含めることを特徴とする請求項１〜４の何れか１項に記載の記録再生装置。
【請求項６】
前記記録媒体に記録された情報データを他の再生装置にて再生可能とするために必要な予め決められた情報を記録するファイナライズ処理を行うファイナライズ処理手段を有し、
前記予測手段は、前記ファイナライズ処理手段により行なわれるファイナライズ処理に要する時間を前記交換所要時間に含めることを特徴とする請求項１〜５の何れか１項に記載の記録再生装置。
【請求項７】
装着された記録媒体に対して情報信号の記録再生を行う記録再生工程と、
前記記録媒体の排出指示に応じて前記記録媒体を排出した後、新たに装着された記録媒体が記録可能な状態となるまでに要する交換所要時間を予測する予測工程と、
前記予測工程において予測された交換所要時間に係る情報を表示装置に表示する表示工程とを有することを特徴とする記録再生方法。
【請求項８】
前記情報信号を前記記録媒体に対して記録再生するための管理情報を生成する管理情報生成工程を有し、
前記予測工程においては、前記記録媒体の排出指示に伴って前記記録媒体の交換所要時間を予測する際に、前記管理情報生成工程において生成された管理情報を、前記記録再生工程において前記記録媒体に対して記録するのに要する時間を含めることを特徴とする請求項７に記載の記録再生方法。
【請求項９】
前記装着された記録媒体の種類を認識する記録媒体認識工程を有するとともに、前記記録再生工程は複数種類の記録媒体に対して前記情報信号を記録再生することが可能であり、
前記予測工程においては、前記記録媒体が新たに装着された際に、前記記録媒体認識工程が記録媒体の種類を認識するために要する時間を前記交換所要時間に含めることを特徴とする請求項７または８に記載の記録再生方法。
【請求項１０】
前記予測工程においては、前記記録媒体の種類毎に前記交換所要時間を予測し、前記表示工程においては前記記録媒体の種類毎に予測された交換所要時間を表示装置に表示することを特徴とする請求項９に記載の記録再生方法。
【請求項１１】
前記記録媒体が装着された際に、初期化処理の要否を判断する初期化処理判断工程と、前記記録媒体の初期化処理を行う初期化処理工程とを有し、
前記初期化処理判断工程において、装着された記録媒体の初期化処理を行うことが必要であると判断された場合には、前記予測工程においては、前記初期化処理工程において行なわれる前記記録媒体の初期化処理を行うために必要な時間を前記交換所要時間に含めることを特徴とする請求項７〜１０の何れか１項に記載の記録再生方法。
【請求項１２】
前記記録媒体に記録された情報データを他の再生装置にて再生可能とするために必要な予め決められた情報を記録するファイナライズ処理を行うファイナライズ処理工程を有し、
前記予測工程においては、前記ファイナライズ処理工程において行なわれるファイナライズ処理に要する時間を前記交換所要時間に含めることを特徴とする請求項７〜１１の何れか１項に記載の記録再生方法。
【請求項１３】
装着された記録媒体に対して情報信号の記録再生を行う記録再生工程と、
前記記録媒体の排出指示に応じて前記記録媒体を排出した後、新たに装着された記録媒体が記録可能な状態となるまでに要する交換所要時間を予測する予測工程と、
前記予測工程において予測された交換所要時間に係る情報を表示装置に表示する表示工程とを有する記録再生方法をコンピュータに実行させることを特徴とするプログラム。
【請求項１４】
請求項１３に記載のプログラムを記録したことを特徴とするコンピュータ読み取り可能な記録媒体。
【発明の詳細な説明】
【技術分野】
【０００１】
本発明は記録再生装置及び記録再生方法に関し、特に、装着された記録媒体を交換可能な装置に用いて好適な技術に関する。
【背景技術】
【０００２】
従来、被写体を撮影して磁気テープに記録再生するデジタルビデオカメラが知られている。また、近年では、磁気テープに代えて、ＤＶＤなどの光ディスクに対して画像データや音声データを記録再生するディスクビデオカメラも登場している（例えば、特許文献１参照）。
【０００３】
【特許文献１】特開２００３−１６３８６７公報
【発明の開示】
【発明が解決しようとする課題】
【０００４】
現在、ＤＶＤの様なディスク媒体に対して画像や音声を記録するディスクビデオカメラが知られている。この種のディスクビデオカメラでは、一枚のディスクに対して、数十分程度の画像や音声を記録することが可能である。したがって、運動会や演劇、結婚式、講演会などのような長時間にわたるイベントをＤＶＤビデオカメラで撮影する場合のように、比較的長い時間撮影が行われるような状況においては、ディスク交換を頻繁に行う必要がでてくる。
【０００５】
しかし、ディスクを交換する場合には、ディスク入替時間が必要であることに加え、管理情報の書き込み作業、新規ディスクの認識やフォーマットなどの作業が必要になる場合があり、ディスクの交換には長い時間を要する場合がある。
【０００６】
また、記録済みのディスクを別のＤＶＤプレーヤで再生したい場合、ファイナライズの作業も必要となる。そのため、ＤＶＤビデオカメラの使用経験の少ない初心者ユーザは、ディスク交換に必要となる時間を推測することが困難である。このために、あるシーンを撮影したくてもディスク交換作業が間に合わずに撮影することができないという問題が想定される。
【０００７】
本発明は前述の問題点にかんがみ、記録媒体の交換に必要となる時間の目安をユーザに提示できるようにすることを目的としている。
【課題を解決するための手段】
【０００８】
本発明の記録再生装置は、装着された記録媒体に対して情報信号の記録再生を行う記録再生手段と、前記記録媒体の排出指示に応じて前記記録媒体を排出した後、新たに装着された記録媒体が記録可能な状態となるまでに要する交換所要時間を予測する予測手段と、前記予測手段により予測された交換所要時間に係る情報を表示装置に表示する表示手段とを備えることを特徴とする。
【０００９】
本発明の記録再生方法は、装着された記録媒体に対して情報信号の記録再生を行う記録再生工程と、前記記録媒体の排出指示に応じて前記記録媒体を排出した後、新たに装着された記録媒体が記録可能な状態となるまでに要する交換所要時間を予測する予測工程と、前記予測工程において予測された交換所要時間に係る情報を表示装置に表示する表示工程とを有することを特徴とする。
【００１０】
本発明のプログラムは、装着された記録媒体に対して情報信号の記録再生を行う記録再生工程と、前記記録媒体の排出指示に応じて前記記録媒体を排出した後、新たに装着された記録媒体が記録可能な状態となるまでに要する交換所要時間を予測する予測工程と、前記予測工程において予測された交換所要時間に係る情報を表示装置に表示する表示工程とを有する記録再生方法をコンピュータに実行させることを特徴とする。
【発明の効果】
【００１１】
本発明によれば、記録媒体の交換に必要な時間を予測して表示装置に予め表示するようにしたので、ユーザは撮影している記録媒体を交換するタイミングを計ることが可能となり、記録媒体の交換作業が間に合わないために、ユーザが最も撮影したいシーンを撮り逃してしまう状況が発生することを事前に防止することができる。
【発明を実施するための最良の形態】
【００１２】
（第１の実施形態）
以下に、本発明の最良の実施形態を例示的に詳細に説明する。ただし、本実施形態に記載されている構成要素はあくまでも例示であり、本発明の範囲をそれらのみに限定する趣旨のものではない。
【００１３】
本発明を適用するＤＶＤデジタルビデオカメラの実施形態を以下に説明する。なお、ここで挙げるＤＶＤデジタルビデオカメラは、「ＤＶＤ−Ｒ」ディスクと「ＤＶＤ−ＲＷ」のディスクに対してデータの記録再生が可能である。また、本形態のビデオカメラでは、記録モードは、「ＤＶＤ−Ｒ」に対してはＶｉｄｅｏモードで記録し、「ＤＶＤ−ＲＷ」に対してはＶｉｄｅｏモードまたはＶＲモードで記録する。
【００１４】
図１は、本実施形態のデジタルビデオカメラの構成例を示すブロック図である。
図１において、１０１は撮像部、１０２はマイクロフォン、１０３は記録系回路であり、撮像部１０１及びマイクロフォン１０２より得られた画像データ、音声データを圧縮、符号化する。
【００１５】
１０４は記録再生部であり、決められたファイルシステムに従って記録系回路１０３から出力されたデータを所定の形式にフォーマット化し、ファイルデータとしてディスク１０５に対して記録再生する。１０６は記録再生部１０４からデータファイルを再生する再生系回路である。
【００１６】
１０７、１０８はそれぞれ画像データ，音声データの出力端子、１０９は撮像部１０１、再生系回路１０６から出力される画像データに係る画像を表示するＬＣＤである。１１０はデジタルビデオカメラの動作を制御するシステムコントロール部（以下シスコン）、１１１は電源スイッチ、記録トリガ、再生スイッチ、停止スイッチあるいは再生リストの編集スイッチなどを含む操作部である。１１２は、記録媒体の交換予想時間表示に関する表示設定部である。
【００１７】
次に、通常の記録モードにおける動作について説明する。
まず、記録に先立って、ディスクの装着時や電源投入時などの処理が開始されると、シスコン１１０は記録再生部１０４を制御し、ディスク上より管理情報を読み出し、内部のメモリに格納する。この管理情報とは、ディスク上のデータの記録位置など、記録再生のために必要なデータである。シスコン１１０は記録動作に伴い、この管理情報を更新する。更新された管理情報は、電源オフ時やディスクの排出時などの決められたタイミングでディスク上に記録される。
【００１８】
次に、記録開始の操作が行われるのを監視する。そして、操作部１１１により動画撮影モードがセットされ、記録トリガにより記録開始が指示されると、シスコン１１０は記録系回路１０３を制御して記録を開始する。
【００１９】
記録系回路１０３は、動画記録を行っている期間においては、撮像部１０１及びマイクロフォン１０２より得られた画像データ及び音声データを符号化し、所定の形式にて記録再生部１０４に出力する。また、記録再生部１０４は所定のファイル形式に従うヘッダなどの付加情報を付加して記録系回路１０３から出力されるデータ列をフォーマット化し、ディスク１０５に対して記録する。
【００２０】
動画を撮影中には、操作部１１１により静止画撮影モードがセットされたか否かを監視する。そして、記録トリガにより静止画撮影が指示されると、シスコン１１０は記録系回路１０３を制御して静止画記録を開始する。記録系回路１０３は撮像部１０１より得られた画像データを符号化し、所定の形式にて記録再生部１０４に出力する。記録再生部１０４は所定のファイル形式に従うヘッダなどの付加情報を付加して記録系回路１０３から出力されるデータ列をフォーマット化し、ディスク１０５に対して記録する。
【００２１】
図２は、記録系回路１０３及びその周辺回路の要部構成例を示す図である。
図２において、撮像部１０１からの画像データは画像信号処理部２０１に出力される。画像信号処理部２０１は撮像部１０１からの画像データに対して符号化フォーマットに従うサブサンプルなどの処理を施し、画像データ符号化部２０２に出力する。
【００２２】
画像データ符号化部２０２は、画像信号処理部２０１からの画像データをＭＰＥＧ２あるいはＪＰＥＧの規格に従って符号化し、データ符号化処理部２０６に出力する。また、画像データ符号化部２０２は一つのデータファイルの代表画像を示すサムネイル画像データを生成し、データ符号化処理部２０６に出力する。
【００２３】
また、マイクロフォン１０２からの音声データは音声信号処理部２０３に出力される。音声信号処理部２０３はマイクロフォン１０２からの音声データをデジタルデータに変換し、更に、ノイズ抑圧や増幅等の処理を施し、音声データ符号化部２０４に出力する。音声データ符号化部２０４に出力する。音声データ符号化部２０４は音声信号処理部２０３からの音声データをＭＰＥＧ２の規格に従って符号化し、データ符号化処理部２０６に出力する。
【００２４】
データ符号化処理部２０６は、符号化された画像データと音声データとを、ＭＰＥＧ２のトランスポートストリームの形式に変換し、記録再生部１０４に出力する。また、メタデータ生成部２０５は、撮影日時やＦ値などの撮影情報を示すメタデータを生成し、データ符号化処理部２０６に出力する。データ符号化処理部２０６は、これらのメタデータを画像、音声データのファイルのヘッダあるいはフッタに記録するよう配置し、記録再生部１０４に出力する。
【００２５】
本実施形態のデジタルビデオカメラにおいては、記録開始のトリガから記録停止のトリガの間に撮影、入力された画像データ、音声データを一つのファイルとして記録する。そして、データ符号化処理部２０６はメタデータ生成部２０５からのメタデータ及び、画像データ符号化部２０２からのサムネイル画像データを各ファイルのヘッダあるいはフッタに格納する。ヘッダにはこの他にも、ファイル名なども記録される。
【００２６】
次に、通常の再生モードの動作について説明する。
操作部１１１により再生モードがセットされると、シスコン１１０は再生系回路１０６を制御して、ディスク１０５に記録されているデータファイルのサムネイル画像をＬＣＤ１０９に表示する。ユーザはＬＣＤ１０９に表示されたサムネイルを確認し、操作部１１１を操作して再生を希望するファイルを選択する。シスコン１１０は再生すべきファイルが指定されると、再生系回路１０６を制御して再生中のファイルに関するメタデータの情報をＬＣＤ１０９に表示する。
【００２７】
再生系回路１０６は記録再生部１０４より指定されたファイルを再生し、そのファイル内の画像データ、音声データを復号して出力端子１０７，１０８より出力すると共に、再生された画像をＬＣＤ１０９に表示する。
【００２８】
図３は、再生系回路１０６及びその周辺回路の構成例を示す図である。
図３において、シスコン１１０から再生命令が再生解析部３０１に伝えられると、再生解析部３０１は再生リストや再生の種類などの光ディスク情報を解析する。解析された光ディスク情報は、ＬＣＤ１０９に出力する。記録再生部１０４により再生されたデータはデータ復号処理部３０２に出力される。データ復号処理部３０２は再生されたデータ列より画像データ、音声データを検出し、更に、ファイルのヘッダ、フッタよりメタデータを検出する。そして、画像データを画像データ復号部３０３に出力する。
【００２９】
画像データ復号部３０３は、データ復号処理部３０２から出力された画像データを復号し、画像出力部３０５に出力する。画像出力部３０５は復号された画像データを外部モニタやその他外部機器にて処理するのに適した形式に変換し、出力端子１０７及びＬＣＤ１０９に出力する。
【００３０】
音声データ符号部３０４は、データ復号処理部３０２から出力された音声データを復号し、音声出力部３０６に出力する。音声出力部３０６は復号された音声信号を外部機器にて処理するのに適した形式に変換し、出力端子１０８に出力する。
【００３１】
次に、本実施形態による記録媒体の交換予想時間表示手順について、図７のフローチャートを参照しながら説明する。
前述したように、ディスクの装着時や電源投入時などの処理が開始されると、シスコン１１０は記録再生部１０４を制御し、ディスク上より管理情報を読み出し、内部のメモリに格納する（ステップＳ７０１）。
【００３２】
次に、ステップＳ７０２に進み、ＤＶＤデジタルビデオカメラが撮影中あるいは撮影待機中であるとき、シスコン１１０は装着されているディスク１０５の記録状態を示す情報をもとにディスク交換に要する時間（交換予想時間）を予測して算出する。
【００３３】
次に、ステップＳ７０３に進み、ステップＳ７０２で予測した交換時間をＬＣＤ１０９に表示する。本実施形態において、ディスク交換時間とは、ユーザによってディスクのイジェクト処理が開始されてから、新規ディスクが装着され、撮影可能状態となるまでに要する時間のことを指している。ユーザは、表示設定部１１２を操作して、ディスク交換時間の算出に関する条件を任意に設定することが可能である。
【００３４】
次に、ステップＳ７０４に進み、表示画面中の各項目がユーザにより設定されたか否かを判断する。この判断の結果、設定されていない場合には、設定に関して待機状態となる。また、ステップＳ７０４の判断の結果、各項目が設定された場合にはステップＳ７０５に進み、設定された内容に係る処理を行う。
【００３５】
次に、ステップＳ７０６に進み、撮影終了か否かを判断する。この判断の結果、撮影を終了しない場合にはステップＳ７０２に戻って、ディスク交換に要する時間を予測して算出する。ステップＳ７０２の処理の後は、前述した処理を繰り返し行う。また、ステップＳ７０６の判断の結果、電源オフ、或いは、ディスクのイジェクト指示があった場合にはエンド処理を行う。
【００３６】
図４は、ディスク交換予想時間Ｔの内訳を示す概略図である。ディスク交換予想時間Ｔは、ディスクのファイナライズ時間Ｔ１、ディスク管理情報の書き込み時間Ｔ２、ディスク取出し時間Ｔ３、新規ディスク装着時間Ｔ４、新規ディスクの認識時間Ｔ５、新規ディスクの初期化時間Ｔ６によって表される。ただし、図４はディスク交換予想時間Ｔの内訳を例示的に示したものであり、ここに挙げた時間のみに限定するものではない。
【００３７】
なお、図示していないが、本実施形態の撮像記録装置は初期化処理判断手段、初期化処理手段を有している。そして、装着された記録媒体が初期化処理を行う必要があると前記初期化処理判断手段が判断した場合に、前記初期化処理手段が初期化処理を行うように構成されている。また、詳細な構成は省略するが、ディスクに記録された情報データを他の再生装置にて再生可能とするために必要な予め決められた情報を記録するファイナライズ処理を行うファイナライズ処理手段を有している。
【００３８】
ディスクのファイナライズ時間Ｔ１は、ディスクの記録状態（残容量）とドライブ性能をもとに算出することが可能である。一般的に、ファイナライズは、ディスクの残容量が多いほどダミーデータを多く書き込む必要があるため、ファイナライズ時間は長くなる。つまり、撮影中はファイナライズ時間Ｔ１が刻々と変化していくため、数秒おきにディスク交換予想時間を更新する必要がある。
【００３９】
ディスク管理情報の書き込み時間Ｔ２は、ディスクに対して管理情報を書き込むのに要する時間である。本実施形態では、前述のように、ディスク取出し時にメモリが保持している管理情報をディスクに書き込むようにしている。
【００４０】
ディスク取出し時間Ｔ３と新規ディスク装着時間Ｔ４は、ユーザによるディスク入れ替え作業に要する時間のことであり、ユーザが適切な時間を表示設定部１１２で設定することができる。
【００４１】
新規ディスクの認識時間Ｔ５は、ディスクの種類やモードの認識、レーザパワー調整などを行うために必要な時間である。新規ディスクの認識時間Ｔ５は、ディスクの種類や質によって異なるため、前回ブランクディスクの認識に要した時間をメモリ内に保持しておき、その時間を新規ディスクの認識時間Ｔ５として利用するのが好ましい。過去データがメモリ内に存在しない場合は、開発者が予め設定した時間を利用する。
【００４２】
新規ディスクの初期化時間Ｔ６は、新たに挿入したディスクがブランクディスクであった場合に実行される初期化（フォーマット）処理するのに要する時間のことであり、ＶｉｄｅｏモードとＶＲモードとでは初期化に要する時間は異なる。このとき、ディスクの種類によっては（例えば、「−ＲＷディスク」）、ユーザがＶｉｄｅｏモードとＶＲモードのどちらで初期化するかを選択する必要があり、それに伴う作業時間も新規ディスクの初期化時間Ｔ６に包括するものとする。本実施形態においては、装着された新規ディスクの種類を認識する記録媒体認識手段（図示せず）を有している。
【００４３】
新規ディスクの初期化時間Ｔ６も、新規ディスクの認識時間Ｔ５と同様にディスクの種類や質、ドライブ性能などに左右される。したがって、新規ディスクの初期化時間Ｔ６も過去データもしくは設定値によって決定される。
【００４４】
図４に示すように、ディスク交換する際に、同時にファイナライズも実行するか否かでディスク交換予想時間は大きく異なる。ファイナライズを実行する場合は、ディスク交換予想時間にファイナライズ時間も考慮する必要がある。
【００４５】
一方、ファイナライズを実行しない場合は、ディスクを排出する際にメモリに保持しているディスク管理情報をディスクに記録する必要があるため、その書き込み時間が必要となる。ファイナライズを実行する場合のディスク交換予想時間を表示するか、それとも実行しない場合のディスク交換予想時間を表示するかの選択はユーザが表示設定部１１２で設定することができる。
【００４６】
ファイナライズ時間も含めたディスク交換予想時間を表示することにより、次の撮影を開始するまでに時間があるという状況にある場合、ディスク交換前にファイナライズを実行するかの判断基準とすることが可能となる。
【００４７】
図５は、ステップＳ７０３において、ＬＣＤ１０９に表示する画面の一例を示し、ディスク交換予想時間の表示に関する設定画面の表示例を示す図である。図５中に示した交換予想時間表示のＯＮ／ＯＦＦを設定することで、この機能を使用するか否かの選択をユーザに行わせるようにしている。ＯＮが選択された場合は各種詳細設定が可能となり、以下それについて述べる。
【００４８】
ファイナライズ時間は、前述したようにファイナライズ時間をディスク交換予想時間に含めるか否かの選択をすることができ、ＯＮ／ＯＦＦにより設定する。次に、ディスク入替時間は、ディスク入替に伴う時間を秒単位でユーザに設定させるようにしている。
【００４９】
この時間は、図４におけるディスク取出し時間Ｔ３と新規ディスク装着時間Ｔ４の合計値である。また、新規ディスクタイプでは、新規ディスクとして使用するディスクの種類（「−Ｒ」もしくは「−ＲＷ」）と、記録モード（ＶｉｄｅｏモードもしくはＶＲモード）を選択する。
【００５０】
ディスク交換予想時間は、ここで設定されたディスクを新規ディスクとして使用すると仮定して算出される。新規ディスクタイプとして「−Ｒ」が選択されていた場合は、記録モードはＶｉｄｅｏモードしか選択することができない。「−ＲＷ」が選択されていた場合は、ＶｉｄｅｏモードとＶＲモードの選択を行うことができる。
【００５１】
また、ディスクタイプには、「−Ｒ」と「−ＲＷ」の選択の他にＡＬＬ（すべてのディスク種類、記録モードの交換予想時間を全表示する）とＣｏｎｔｉｎｕｅ（今使用しているディスクと同種類・同記録モードで使用すると仮定して表示する）も選択可能である。なお、上記以外の交換時間表示に関する設定も可能とすることはいうまでもない。
【００５２】
図６は、ディスク設定予想時間の表示設定画面と実際の表示画面を示す図である。
図６の６０１は撮影時間、６０２は残り撮影可能時間、６０３がディスク交換予想時間、６０４は使用中のディスクの種類と記録モードを示している。ディスク交換予想時間６０３には、新規ディスクとして使用するディスクの種類とモードを示しており、そのディスクに交換する場合の予想時間である。
【００５３】
なお、これらの交換予想時間表示は常に表示させている必要はなく、例えば、「ディスク残容量に応じて表示周期を変化させる」、「点滅スピードを変化させる」、「数分毎に重畳表示させる」等、表示方法に関する設定を任意に行うようにすることも可能である。また、前述の実施形態では、ＤＶＤに対して画像や音声データを記録再生する装置に関して説明したが、これ以外の記録媒体を用いる場合にも本発明を同様に適用可能である。
また、図６に示した、交換予想時間の条件として、初期化に係る処理を予想時間に含むか否かを設定できるように構成してもよい。
【００５４】
（本発明に係る他の実施形態）
前述した本発明の実施形態における記録再生装置を構成する各手段、並びに記録再生方法の各ステップは、コンピュータのＲＡＭやＲＯＭなどに記憶されたプログラムが動作することによって実現できる。このプログラム及び上記プログラムを記録したコンピュータ読み取り可能な記録媒体は本発明に含まれる。
【００５５】
また、本発明は、例えば、システム、装置、方法、プログラムもしくは記憶媒体等としての実施形態も可能である。具体的には、複数の機器から構成されるシステムに適用してもよいし、また、一つの機器からなる装置に適用してもよい。
【００５６】
なお、本発明は、前述した実施形態の機能を実現するソフトウェアのプログラム（実施形態では図７に示すフローチャートに対応したプログラム）を、システムあるいは装置に直接されてもよい。あるいは遠隔から供給し、そのシステムあるいは装置のコンピュータが前記供給されたプログラムコードを読み出して実行することによっても達成される場合を含む。
【００５７】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５８】
その場合、プログラムの機能を有していれば、オブジェクトコード、インタプリタにより実行されるプログラム、ＯＳに供給するスクリプトデータ等の形態であってもよい。
【００５９】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどである。また、磁気テープ、不揮発性のメモリカード、ＲＯＭ、ＤＶＤ（ＤＶＤ−ＲＯＭ，ＤＶＤ−Ｒ）なども含む。
【００６０】
その他、プログラムの供給方法としては、クライアントコンピュータのブラウザを用いてインターネットのホームページに接続し、前記ホームページから本発明のコンピュータプログラムそのものをダウンロードすることによっても供給できる。もしくは、圧縮され自動インストール機能を含むファイルをハードディスク等の記録媒体にダウンロードすることによっても供給できる。
【００６１】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００６３】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００６４】
さらに、記録媒体から読み出されたプログラムが、コンピュータに挿入された機能拡張ボードやコンピュータに接続された機能拡張ユニットに備わるメモリに書き込まれる。そして、その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６５】
【図１】本発明が適用される撮像記録装置の構成例を示すブロック図である。
【図２】記録系回路の構成例を示す図である。
【図３】再生系回路の構成例を示す図である。
【図４】ディスク交換予想時間の内訳を示す図である。
【図５】ディスク交換予想時間の表示設定画面の表示例を示す図である。
【図６】ディスク交換予想時間の設定と表示の関係を示す図である。
【図７】実施形態の記録媒体の交換予想時間表示手順を説明するフローチャートである。
【符号の説明】
【００６６】
１０１  撮像部
１０２  マイクロフォン
１０３  記録系回路
１０４  記録再生部
１０５  ディスク
１０６  再生系回路
１０７  画像データの出力端子
１０８  音声データの出力端子
１０９  ＬＣＤ
１１０  システムコントロール部
１１１  操作部
１１２  表示設定部
【図１】
2007280469.tif 000003
【図２】
2007280469.tif 000004
【図３】
2007280469.tif 000005
【図４】
2007280469.tif 000006
【図５】
2007280469.tif 000007
【図６】
2007280469.tif 000008
【図７】
2007280469.tif 000009